(57)【特許請求の範囲】
【請求項１】
複数枚のインスタントフイルムを積層したフイルムパックを装填するパック装填室と、前記フイルムパックが前記パック装填室に装填されたことを検出するパック検出手段と、前記フイルムパック複数個分のインスタントフイルムをストックするフイルムストック室と、前記パック装填室に装填されたフイルムパック内のインスタントフイルムを１枚ずつ順次、前記フイルムストック室に送り出す送出手段と、前記パック検出手段により前記フイルムパックの装填を検出した時に前記送出手段を実行する送出制御手段と、前記フイルムストック室にストックされたインスタントフイルムのうち最上層のインスタントフイルムに露光を与えて画像を記録するプリント手段と、露光済みのインスタントフイルムをフイルムストック室から送り出してプリンタ本体外に排出する排出手段とを備えることを特徴とするプリンタ。
【請求項２】
前記フイルムパックの露光用開口を遮蔽し、フイルムパック内の最上層のインスタントフイルムの上に重ねて収納されている遮光板を、プリンタ本体外に排出するための遮光板排出口と、前記送出手段の送出先を前記フイルムストック室から前記遮光板排出口に切替える送出先切替え手段とを備え、前記送出制御手段は、前記インスタントフイルムを前記フイルムストック室に送り出すに先立って、前記送出先切替え手段を実行し、前記送出手段により前記遮光板をプリンタ本体外に排出することを特徴とする請求項１記載のプリンタ。
【発明の詳細な説明】
【０００１】
【発明の属する技術分野】
本発明はプリンタに関し、さらに詳しくは、インスタントフイルムに露光を与えてプリントするプリンタに関するものである。
【０００２】
【従来の技術】
電子スチルカメラに内蔵される小型のプリンタが知られている（例えば特開２００１−１３３８９６号公報）。このプリンタは、ハードコピーの記録媒体として自己現像処理型のインスタントフイルムを用いるとともに、蛍光表示管を用いたライン状の露光ヘッドがインスタントフイルムの感光面の上方を移動し、インスタントフイルムに赤色、緑色、青色の三色面順次露光を与えることによりフルカラー画像の印刷を行う。前記露光が終了したインスタントフイルムは、電子スチルカメラのボディに設けられた排出口から外に排出され、約１分〜数分程度の時間が経過すると、インスタントフイルムの片面に画像が現れる。
【０００３】
インスタントフイルムは、複数枚，例えば１０枚がセットされたフイルムパックの形でカメラボディに設けられたパック装填室に装填される。フイルムパック内の全てのインスタントフイルムが使用された後、引き続き印刷を行う場合には、空のフイルムパックをパック装填室から取り出して、代わりに新しいフイルムパックをパック装填室に装填する。
【０００４】
【発明が解決しようとする課題】
上述したようなフイルムパックを装填してインスタントフイルムに印刷するプリンタでは、連続的に印刷したくても１パック分、例えば１０枚印刷する毎にフイルムパックを交換する必要があり、１パック分以上の印刷を連続して行うことができないという欠点がある。
【０００５】
本発明は上記事情を考慮してなされたもので、フイルムパックに収納されたインスタントフイルムを用いていながら多量の連続印刷を可能とするプリンタを提供するものである。
【０００６】
【課題を解決するための手段】
上記目的を達成するために、本発明のプリンタは、複数枚のインスタントフイルムを積層したフイルムパックを装填するパック装填室と、前記フイルムパックが前記パック装填室に装填されたことを検出するパック検出手段と、前記フイルムパック複数個分のインスタントフイルムをストックするフイルムストック室と、前記パック装填室に装填されたフイルムパック内のインスタントフイルムを１枚ずつ順次、前記フイルムストック室に送り出す送出手段と、前記パック検出手段により前記フイルムパックの装填を検出した時に前記送出手段を実行する送出制御手段と、前記フイルムストック室にストックされたインスタントフイルムのうち最上層のインスタントフイルムに露光を与えて画像を記録するプリント手段と、露光済みのインスタントフイルムをフイルムストック室から送り出してプリンタ本体外に排出する排出手段とを備える。また、前記フイルムパックの露光用開口を遮蔽し、フイルムパック内の最上層のインスタントフイルムの上に重ねて収納されている遮光板を、プリンタ本体外に排出するための遮光板排出口と、前記送出手段の送出先を前記フイルムストック室から前記遮光板排出口に切替える送出先切替え手段とを備え、前記送出制御手段は、前記インスタントフイルムを前記フイルムストック室に送り出すに先立って、前記送出先切替え手段を実行し、前記送出手段により前記遮光板をプリンタ本体外に排出するようにしてもよい。
【０００７】
【発明の実施の形態】
本発明を実施したプリンタの構成を示す図１及び図２において、プリンタ１０に用いるインスタントフイルム１２は、周知の自己現像処理型であるモノシートタイプである。モノシートタイプのインスタントフイルムは、本出願人などによる商品化によってすでに広く普及しており、感光シート、受像シート、及び現像液を内包した現像液ポッドを基本的な構成要素としている。そして、感光シートに露光を与えることによって光化学的に潜像を形成した後、この感光シートと受像シートとの間に現像液を展開しながら両シートを加圧することによって、受像シートにポジ画像が転写される。
【０００８】
インスタントフイルム１２は、フイルムパック１４と称されるプラスチック製のケースに１０枚積層して収納されている。フイルムパック１４の上端面（図面の右側面）には、露光済みのインスタントフイルム１２が排出されるスリット状の排出用開口１４ａが形成され、未使用のフイルムパック１４では、排出用開口１４ａは薄い樹脂製の遮光フイルム１５によって遮蔽されている。
【０００９】
フイルムパック１４の前面（図面の上面）には、露光用開口１４ｂが形成されている。この露光用開口１４ｂは、インスタントフイルム１２の第１枚目（最上層）の上に重ねて設けられたインスタントフイルム１２とほぼ同サイズの遮光板１６によって遮蔽されている。なお、フイルムパック１４の前部の遮光フイルム１５側と反対側の縁には、周知のクロー部材が入り込む切欠き１７が露光用開口１４ｂに連なって形成されている。
【００１０】
プリンタ本体１１の上部には、フイルムパック１４を装填するパック装填室１８が設けられ、この開口１８ａは蓋１９によって開閉される。蓋１９の裏面には、パック装填室１８を閉じた際に蓋１９をロックする蓋ロック機構（図示せず）と、一対の押圧器２１とが設けられている。押圧器２１は、抜け止め防止された板状の押圧部材２１ａが昇降自在に設けられ、これが内蔵したバネによって蓋１９から離れる方向に付勢されている。パック装填室１８にフイルムパック１４を装填して蓋１９を閉じると、押圧器２１の押圧部材２１ａが露光用開口１４ｂを除くフイルムパック１４の前後部を上方から押圧し、フイルムパック１４をパック装填室１８の底面１８ｂに押しつけて位置決めする。
【００１１】
パック装填室１８の底面１８ｂには、一対の長孔２２が形成されており、この長孔２２を通して前記押圧器２１と同様の構造をした押圧器２４の押圧部材２４ａがパック装填室１８内に突出している。フイルムパック１４の露光用開口１４ｂと反対側の壁には、前記一対の長孔２２と対応する位置に長孔２２とほぼ同サイズの長孔１４ｃが一対設けられており、これらを塞ぐ可撓性の遮光シート２６が最下層のインスタントフイルムとフイルムパック１４の底面との間に周囲の縁がフイルムパック１４の底面に貼着されて設けられている。
【００１２】
フイルムパック１４をパック装填室１８に装填すると、押圧器２４の押圧部材２４ａがフイルムパック１４の長孔１４ｃからフイルムパック１４内に挿入される。挿入された押圧器２４ａは、長孔１４ｃを内側から塞いでいる遮光シート２６を介してインスタントフイルム１２をフイルムパック１４の露光用開口１４ｂ側の内壁面に押しつける。
【００１３】
パック装填室１８内には、装填されたフイルムパック１４によってピン２８ａが押されてオンされ、フイルムパック１４の有無を検出するパック検出スイッチ２８と、閉位置にある蓋１９によって先端部が半球状をしたピン２９ａが押されてオンされ、蓋１９が閉じられているか否かを検出する蓋検出スイッチ２９とが設けられている。
【００１４】
パック装填室１８の一方の側壁には、矩形状の開口１８ｃが形成され、相対する他方の側壁には、装填されたフイルムパック１４の排出用開口１４ａと相対する位置にスリット状の開口１８ｄが形成されている。開口１８ｃの奥には、周知のクロー部材３５が設けられ、開口１８ｄの奥には、搬送ローラ３６が設けられている。
【００１５】
クロー部材３５は、新しいフイルムパック１４の装填時には遮光板１６の端部に係合して、これを開口１８ｄに向かって押し出し、またプリント時には１枚のインスタントフイルム１２の端部に係合して、これを開口１８ｄに向かって押し出す。
【００１６】
搬送ローラ３６は、互いに対向して配置されたキャプスタン３７とピンチローラ３８からなる。このピンチローラ３８には、図示しないが両端部にコイルバネが接続されており、キャプスタン３７側に付勢されている。キャプスタン３７は、両端部に円盤状のローラ３７ａ，３７ｂを有するバーベルのような形状をしており、このローラ３７ａ，３７ｂがピンチローラ３８と協働してインスタントフイルム１２の両側端部を保持することで、インスタントフイルム１２の先端部に内包された現像液ポッドを破砕せずにインスタントフイルム１２を搬送することができる。
【００１７】
搬送ローラ３６の更に奥には、遮光板排出用ローラ４１が配置されている。この遮光板排出用ローラ４１は、２本のローラ４２，４３からなる。一方のローラ４２は定位置に設けられているが、他方のローラ４３は、回動自在なアーム４４に取り付けられており、遮光板１６をローラ４２に押しつける排出位置と、ローラ４２から離れた通常位置との間で移動される。この通常位置の上方には、搬送ローラ３６で搬送されてきたインスタントフイルム１２をローラ４３と協働して引き続き搬送を行うキャプスタン４５が設けられている。このキャプスタン４５は、前記キャプスタン３７と同様な形状をしており、現像液ポッドを裂開しないでインスタントフイルム１２を搬送できる。
【００１８】
ローラ４２がキャプスタン３７よりやや上方に配置されており、ローラ４３がローラ４２の斜め下方（図２参照）の通常位置から排出位置に移動すると、搬送ローラ３６によって搬送されてきた遮光板１６が上方に向かって屈曲され、排出路４６に案内される。この排出路４６は、プリンタ本体１１の上部１１ａのほぼ中央に形成されたスリット状の遮光板排出口４７に繋がっており、ここから遮光板１６がプリンタ本体１１外に排出される。
【００１９】
遮光板排出用ローラ４１の更に奥（図２の右方）には、フイルムパック３個分のインスタントフイルム１２を層状に積み上げてストックする箱状をしたフイルムストック室５０が設けられている。このフイルムストック室５０の遮光板排出用ローラ４１側の側壁５０ａには、前記開口１８ｄと相対する位置にインスタントフイルム１２を１枚ずつ受け入れるスリット状の搬入用開口５１が形成され、これと相対する反対側の側壁５０ｂには、露光済みのインスタントフイルム１２を１枚ずつ排出するスリット状の排出用開口５２が形成されている。
【００２０】
フイルムストック室５０の上部には、前記露光用開口１６とほぼ同じ形状，サイズの露光用開口５３が形成されている。また、フイルムストック室５０の底部には、昇降機５５が設けられている。この昇降機５５は周知のジャッキと同様の構造をしており、スクリューネジ５６を昇降機用モータ５７にって回転させると、一対のアーム部５８の先端部に取り付けられた台座５９が昇降する。この台座５９の上面には台盤６０が固定されており、この台盤６０の上方には、複数のバネ６１を介して圧板６２が設けられている。なお、台盤６０及び圧板６２は、それぞれインスタントフイルム１２とほぼ同じサイズをしている。
【００２１】
また、フイルムストック室５０の側壁５０ａには、ストック量検出センサ６３が設けられ、これがプリンタ１０に電源が投入されている間は常時、圧板６２の位置を検出して後述する制御用のマイクロコンピュータに出力する。
【００２２】
フイルムストック室５０の上方には、互いに平行、かつフイルムストック室５０の上壁面に対して平行に棒状の駆動軸部材７１とガイド部材７２とが設けられており、インスタントフイルム１２の幅方向（以下主走査方向という）に細長い露光ヘッド６８がケース６９の上部に形成された４個の突起部６９ａ〜６９ｄを介して駆動軸部材７１とガイド部材７２に懸架されている。この駆動軸部材７１とガイド部材７２の長手方向を以下副走査方向という。
【００２３】
駆動軸部材７１はスクリューギアであり、突起部６９ａが駆動軸部材７１に噛合するナットになっており、駆動軸部材７１がヘッド走行用モータ７４によって回転すると、露光ヘッド６８がフイルムストック室５０の上壁面と平行に副走査方向に往復移動しながら、露光用開口５３を介してフイルムストック室５０の最上層にストックされたインスタントフイルム１２に露光を与える。
【００２４】
露光ヘッド６８には、図示しないが、遮光されたケース内に、その長手方向に沿って細長く厚みが薄い蛍光表示管が組み込まれている。蛍光表示管の下方には、カラーフィルタ，ミラー、セルフォックレンズアレイ等が設けられ、ケースの開口から射出されたプリント光によりインスタントフイルム１２を露光する。
【００２５】
カラーフィルタは、赤色透過域、緑色透過域，青色透過域の３種類の区域を備え、露光ヘッド６８が露光面を１スキャンするごとに、順次に蛍光表示管とミラーとの間に挿入される。これにより、露光ヘッド６８からは、赤色，緑色，青色のプリント光がインスタントフイルム１２に向けて放射され、３色面順次でフルカラー画像が露光される。
【００２６】
また、露光ヘッド６８には、露光済みのインスタントフイルム１２の端部に係合してこれを排出用開口５２に向かって押し出すクロー部材７５が回動自在に組み込まれている。このクロー部材７５は、図４に示すように、常態では露光ヘッド６８内に組み込まれたバネ７６によってインスタントフイルム１２の端部に係合しない退避位置（Ａ）に回動されており、インスタントフイルム１２の排出時に通電されるソレノイド７７によって反時計方向に回動してインスタントフイルム１２の端部と係合可能な係合可能位置（Ｂ）に回動される。
【００２７】
排出用開口５２の外側には、一対の展開ローラ７８が設けられている。この展開ローラ７８は、排出用開口５２から送り出される露光済みのインスタントフイルム１２をニップして先端部の現像液ポッドを裂開し、インスタントフイルム１２内に現像液を展開しながら、プリンタ本体１１の側壁１１ｂに形成された排出口７９からインスタントフイルム１２をプリンタ本体１１外へ排出する。約１分〜数分の時間経過後にインスタントフイルム１２上にポジ画像が得られる。
【００２８】
前記クロー部材３５，搬送ローラ３６のキャプスタン３７及び遮光板排出用ローラ４１のローラ４２は、ストック用モータ８１によって駆動される。また、前記アーム４４は、ローラ移動用モータ８２によって回動される。また、展開ローラ７８は展開用モータ８３によって駆動される。なお、フイルムストック室５０内に１パック分以上の空きができた際に点滅し、また、フイルムストック室５０内が完全に空状態になった際に連続点灯して警告を発する警告用ランプ８６がプリンタ本体１１の上部１１ａに取り付けられている。
【００２９】
プリンタ１０の電気的構成の概略を示す図５において、プリンタ１０はインターフェイス９１を介してパーソナルコンピュータ（以下パソコンという）９２に接続されて使用される。パソコン９２においてプリントしたい画像を選択してからプリント指令を出力すると、パソコン９２のハードディスクからプリンタ１０の画像メモリ９３に画像データが入力される。また、パソコン９２からのコマンドはマイクロコンピュータ９５に入力される。
【００３０】
マイクロコンピュータ９５には、前記パック検出スイッチ２８，蓋検出スイッチ２９，昇降機用モータ５７，ストック量検出センサ６３，露光ヘッド６８，ソレノイド７７，ストック用モータ８１，ローラ移動用モータ８２，ヘッド走行用モータ７４，展開用モータ８３の他、印画画像処理ＩＣ９７，不揮発性メモリ（ＥＥＰＲＯＭ等）９８，警告用ランプ８６が接続されている。
【００３１】
印画画像処理ＩＣ９７は、マイクロコンピュータ９５の指令に応答して、画像メモリ９３から画像データを取り込み、各色，各ラインの階調単位で露光ヘッド６８に印画データを出力する。
【００３２】
不揮発性メモリ９８は、マイクロコンピュータ９５が参照する各種の制御用シーケンス等を記憶してあり、例えばストック量検出センサ６３から入力される圧板６２の位置データにより、１パック分以上のインスタントフイルム１２をストック可能な場合に警告用ランプ８６が点滅して新しいフイルムパック１４の装填を促し、新しいフイルムパック１４がパック装填室１８に装填されると、遮光板１６の排出を実行する遮光板自動排出用シーケンスも記憶されている。
【００３３】
遮光板自動排出用シーケンスは、パック検出スイッチ２８がオフ→オンになった直後に蓋検出スイッチ２９がオフ→オンになると実行され、ストック用モータ７１が駆動してクロー部材３５及び搬送ローラ３６が作動するとともに、ローラ移動用モータ８２が駆動してアーム４４を回動し、ローラ４３を通常位置から排出位置に移動する。
【００３４】
このように構成されたプリンタ１０の作用を図６及び図７のフローチャートを参照して説明する。プリンタ１０に電源を投入すると、ストック量検出センサ６３が圧板６２の位置を検出して、この位置データをマイクロコンピュータ９５に入力する。マイクロコンピュータ９５は、この位置データからフイルムストック室５０に１パック分以上の空きがあると認識した場合には、警告用ランプ８６を点滅してインスタントフイルム１２の補充を促す。また、残りのインスタントフイルム１２が無く、完全にフイルムストック室５０が空状態の時には、警告用ランプ８６は連続点灯される。したがって、警告用ランプ８６が点滅している時には、残りのインスタントフイルム１２があるので、この警告を無視してプリントを強制的に継続することもできるが、インスタントフイルム１２の補充を行うことが望ましい。
【００３５】
インスタントフイルム１２を補充するには、蓋１９を開けてパック装填室１８に新しいフイルムパック１４を装填して蓋１９を閉じる。パック検出スイッチ２８がオフからオンになった直後に蓋検出スイッチ２９がオフからオンになるから、遮光板自動排出シーケンスが実行される。まず、クロー部材３５が作動して遮光板１６の端部に係合し、これを排出用開口１４ａ側に押す。
【００３６】
遮光板１６の先端部は、遮光フイルム１５を押し破って排出用開口１４ａから送り出され、開口１８ｄを介してパック装填室１８の外に突出すると、回転している搬送ローラ３６にニップされる。遮光板１６が搬送ローラ３６によって搬送され、その先端部がローラ４２下に達すると、ローラ移動用モータ８２が作動してアーム４４が回動し、ローラ４３が通常位置から排出位置に移動する。
【００３７】
ローラ４３が遮光板１６を斜め下方からローラ４２に押しつけるから、遮光板１６は屈曲されながら排出路４６に案内され、搬送ローラ３６の搬送力によって遮光板排出口４７からプリンタ本体１１外に半分程度の長さが突出される。この後、使用者は遮光板１６を把持して遮光板排出口４７から引き抜く。この後、ローラ移動用モータ８２が逆転し、ローラ４３が排出位置から通常位置に移動される。
【００３８】
フイルムパック１４内の積層されたインスタントフイルム１２が押圧部材２４の押圧により押し上げられ、最上層のインスタントフイルム１２が遮光板１６があった位置まで移動する。続いて、クロー部材３５が作動してインスタントフイルム１２の端部に係合し、これを排出用開口１４ａ側に押して送り出す。
【００３９】
インスタントフイルム１２の先端部が開口１８ｄから突出すると、搬送ローラ３６によってニップされ、フイルムストック室５０に向かって搬送される。搬送ローラ３６は、インスタントフイルム１２の両サイドの端部をニップするから、先端部に収納されている現像液ポッドを押しつぶすことがない。
【００４０】
搬送ローラ３６によって搬送されてきたインスタントフイルム１２は、図２に示すように、通常位置のローラ４３とキャプスタン４５とにより搬入用開口５１からフイルムストック室５０の中に搬入される。以下同様にして残りの９枚のインスタントフイルム１２が１枚ずつ順次にフイルムパック１４からフイルムストック室５０の中に移動される。更にインスタントフイルム１２をストックする場合には、空になったフイルムパック１４をパック装填室１８から取り出して代わりに新しいフイルムパック１４をパック装填室１８に装填する。
【００４１】
図３に示すように、フイルムパック１４が空になるとともにフイルムストック室５０の空き容量が１パック分未満になると、警告用ランプ８６が消灯し、プリント可能であることを示す。パソコン９２により所望の画像を選択して所望のプリント枚数を指定してプリント操作を行うと、画像データが画像メモリ９３に転送されるとともに、プリントコマンドがマイクロコンピュータ９５に送られる。
【００４２】
マイクロコンピュータ９５は、印画画像処理ＩＣ９７に対して印画指令を発する。印画画像処理ＩＣ９７は、画像メモリ９３に蓄積されている赤色画像の画像データを１ライン分ずつ読み出して印画データに変換して露光ヘッド６８に送る。露光ヘッド６８が印画データに従って蛍光表示管を発光させてインスタントフイルム１２への１ライン分の露光を行うと、ヘッド走行用モータが駆動して１ライン分だけ露光ヘッド６８を副走査方向に移動させる。露光ヘッド６８は、以下、図３に実線で示す記録開始位置６８ａから破線で示す記録完了位置６８ｂに向かって副走査方向に移動しながら、全てのラインについて赤色画像の記録を行う。
【００４３】
露光ヘッド６８は、記録完了位置６８ｂに達して赤色画像の露光が終了した後、再び記録開始位置６８ａに戻される。次に、上記赤色画像の露光と同様に緑色画像の露光が行われる。緑色画像の露光が終了すると、露光ヘッド６８が記録開始位置６８ａに戻された後、上記赤色画像及び緑色画像と同様に青色画像の露光が行われる。なお、この画像記録中は、ソレノイド７７への通電はオフされており、クロー部材７５は図４（Ａ）に示す退避位置にある。
【００４４】
赤，緑，青全ての画像露光が終了した後、露光ヘッド６８が記録完了位置６８ｂにある状態でマイクロコンピュータ９５からの信号によりソレノイド７７に通電され、クロー部材７５が図４（Ｂ）に示す係合可能位置に回動した後、ヘッド走行用モータ７４及び展開用モータ８３が駆動を開始する。クロー部材７５がフイルムストック室５０の上部に形成されたフイルムパック１４と同様の切欠き５３ａから侵入し、露光済みのインスタントフイルム１２をフイルムストック室５０から排出用開口５２を介して押し出す。
【００４５】
クロー部材７５で排出用開口５２から押し出されたインスタントフイルム１２の端部が展開ローラ７８にニップされ、以後は展開ローラ７８の回転によってインスタントフイルム１２が搬送され、同時に先端部に設けられた現像液ポッドが裂開して現像処理液の展開が行われる。インスタントフイルム１２は排出口７９を通り、ドア（図示せず）を押し開きながらプリンタ本体１１の外部に排出される。インスタントフイルム１２が１枚排出される毎に昇降機用モータ５７が駆動され、昇降機５５により圧板６２の位置がインスタントフイルム１枚分ずつ上昇される。排出口７９から外部に排出されたインスタントフイルム１２の片面には、排出後約１分〜数分経過してポジ画像が現出する。
【００４６】
複数枚のプリント枚数を指定した場合には、１枚目のインスタントフイルム１２が排出されると、直ぐに次のインスタントフイルム１２に対して上述した同様のシーケンスで露光，排出が行われる。この連続プリントは、フイルムストック室５０に蓄積されたインスタントフイルム１２の枚数分だけ、すなわち本実施形態では３０枚まで可能である。
【００４７】
以上説明した実施形態では、フイルムストック室の収納能力をフイルムパック３個分としたが、本発明はこれに限定されず、例えば５個分としてもよい。また、露光ヘッドを副走査方向に移動させながらインスタントフイルムに対して露光を与えたが、露光ヘッドを固定してインスタントフイルムを排出しながら露光を与えて画像を記録するようにしてもよい。この場合には、１ライン毎に３色順次露光を行う。
【００４８】
【発明の効果】
以上に説明してきたとおり、本発明のプリンタによれば、インスタントフイルムをフイルムパックからフイルムストック室に１枚ずつ順次に収納し、パック複数個分のインスタントフイルムをストックするようにしたので、フイルムパックに収納されたインスタントフイルムを用いていながら多量の連続印刷を行うことができる。また、１枚目自動排出機能を備えているので、遮光板をストックすることがなく、連続プリントを効率よく行うことができる。
【図面の簡単な説明】
【図１】本発明のプリンタの主な構成を示す斜視図である。
【図２】インスタントフイルムをフイルムストック室に収納する様子を示すプリンタの断面図である。
【図３】記録時の様子を示すプリンタの断面図である。
【図４】露光ヘッドに付属されたクロー部材の構成を示す説明図である。
【図５】プリンタの電気的構成の概略を示すブロック図である。
【図６】フイルムストック時のシーケンスを示すフローチャートである。
【図７】遮光板自動排出シーケンスを示すフローチャートである。
【符号の説明】
１０  プリンタ
１２  インスタントフイルム
１４  フイルムパック
１８  パック装填室
２８  パック検出スイッチ
２９  蓋検出スイッチ
３６  搬送ローラ
４１  遮光蓋排出用ローラ
５０  フイルムストック室
５５  昇降機
６８  露光ヘッド
３５，７５  クロー部材
９５  マイクロコンピュータ
【図１】
0003903097.tif 000002
【図２】
0003903097.tif 000003
【図３】
0003903097.tif 000004
【図４】
0003903097.tif 000005
【図５】
0003903097.tif 000006
【図６】
0003903097.tif 000007
【図７】
0003903097.tif 000008